(57)【特許請求の範囲】
【請求項１】
下ケース（１０）と上ケース（１１）とからなって、前面に出入口（１２）が開口しており、
下ケース（１０）は、四角形状の底壁（１４）と、底壁（１４）の左右端から立設した側壁（１５）と、底壁（１４）の後端から立設した背壁（１６）とを有して、前面および上面が開口する薄形角箱形状に形成してあり、
上ケース（１１）は、下ケース（１０）の上面開口（１７）を開閉する上壁（１８）と、上壁（１８）の左右端寄りから下ケース（１０）の側壁（１５）の内側に向けて垂設された側壁（１９）とを有し、
下ケース（１０）の側壁（１５）の内側と、上ケース（１１）の側壁（１９）の外側のいずれか一方に、前後方向に長いガイド溝（２２）を、他方にガイド溝（２２）に前後摺動自在に係合するスライド軸（２１）をそれぞれ設けてあり、
下ケース（１０）と上ケース（１１）とが、スライド軸（２１）とガイド溝（２２）とを介して枢支連結されており、
下ケース（１０）の背壁（１６）の左右端と側壁（１５）の後端との間に、上ケース（１１）の後方スライドに伴い上ケース（１１）の側壁（１９）が後方外部へ通過するためのスリット（２３）が形成されており、
上ケース（１１）を後方にスライドさせることにより、上ケース（１１）が下ケース（１０）に対してスライド軸（２１）まわりに上開き回動可能であり、
上ケース（１１）の上壁（１８）の後端左右に、前記スリット（２３）に嵌合して該スリット（２３）を閉合するための部分背壁（２５）がそれぞれ垂設されており、
上ケース（１１）の上壁（１８）の後端内面に、該上壁（１８）の曲げ強度を高めるための補強壁（４０）が下ケース（１０）の背壁（１６）の上端に向けて垂設されており、
前記補強壁（４０）は前記上壁（１８）の前記部分背壁（２５・２５）間の左右方向全長にわたって一体に連続して形成されており、
上ケース（１１）の上壁（１８）の前端部内面に、断面丸形の小突起（４１）が左右方向に連続状もしくは断続的に設けられているディスクカートリッジ用の収納ケース。  
【発明の詳細な説明】
【０００１】
【発明の属する技術分野】
本発明は、音や映像の信号あるいはコンピュータ情報等の記憶媒体である光ディスクあるいは光磁気ディスクなどをハードケース内に内蔵してあるディスクカートリッジにおいて、これを収納する収納ケースに関する。
【０００２】
【従来の技術】
例えば、直径6.４cmの光磁気ディスクを薄い角箱状のハードケースに内蔵した、いわゆるミニディスク（以下、単にＭＤという）があり、かかるディスクカートリッジを収納するための薄い角箱状の収納ケースが実用化されている。この収納ケースは、上ケースと下ケースとを蓋合わせ状に一体的に結合することで、ディスクカートリッジの出入口が前面側に開口するブックケース形に形成されている。しかし、かかる収納ケースは薄箱形状でコンパクトである反面、出入口の開口上下幅がディスクカートリッジの厚さ寸法より僅かに大きく設定されているに過ぎないため、ディスクカートリッジを出し入れし難い。況してや、ディスクカートリッジをインデックスカードと一緒に出し入れする場合には、この出し入れが容易ではなかった。
【０００３】
そこで、下ケースに対し上ケースを一旦、後方へスライド操作したのち上開き開放できるようにすることで、ブックケース形の薄形箱形状でありながら、ＭＤのような小さいディスクカートリッジでも容易に出し入れできるという収納ケースが、先に本出願人により提案されている（特願平８−３５５２２０号）。この収納ケースは本発明の前提とする収納ケースであり、また実施例とも共通するところが多いため、以下、図２ないし図９に基づき詳述する。
図３において、１は収納対象のディスクカートリッジであり、これは光磁気ディスク２を薄角箱状のハードケース３に内蔵しており、ハードケース３の上下両面の一側には信号読み取り窓４を開口し、この窓４はシャッター５でスライド開閉できる。ハードケース３の下ハーフの左右両側の前端寄り部位の外側面には、位置決め用の凹部６が半長円状に凹設されている。
【０００４】
収納ケースは、図４に示すようにプラスチック製の下ケース１０と上ケース１１とで薄形角箱状に構成してあり、その前面にディスクカートリッジ１の出入口１２が開口している。収納ケースの内部には、ディスクカートリッジ１と共にインデックスカード１３が収納される。
【０００５】
下ケース１０は、四角形状の底壁１４と、底壁１４の左右端から立設した側壁１５・１５と、底壁１４の後端から立設した背壁１６とを有して、上面および前面が開口するプラスチック成形品からなり、その前面開口部が出入口１２になっている。上ケース１１は、下ケース１０の上面開口１７の全体を上面側から閉合する上壁１８と、上壁１８の両側の下面側に垂設した左右側壁１９とを有する、透明ないし半透明のプラスチック成形品からなる。上壁１８および底壁１４のそれぞれの前端縁には、ディスクカートリッジ１の後端一部を露出させてこれをつかみ易くするための切欠２０が上下対称に設けられている。
【０００６】
上ケース１１の上壁１８の左右端縁部分１８ａは左右側壁１９よりも外方に庇状に張り出しており、この左右端縁部分１８ａが下ケース１０の左右側壁１５・１５の上端で受け止められる。そして、下ケース１０の左右側壁１５と、これの内側に位置する上ケース１１の左右側壁１９との間には、図３およびに示すごとく、後述するガイド溝形成用のリブ２２ａの介在により融通隙間Ｇがそれぞれ形成されている。
【０００７】
下ケース１０に対して、上ケース１１は次のように枢支連結する。まず図４に示すように、上ケース１１の左右側壁１９の各後部の下端外面にスライド軸２１をそれぞれ外向きに一体に突設し、下ケース１０の左右側壁１５の後端下部にガイド溝２２を設け、このガイド溝２２にスライド軸２１を前後スライド自在に嵌入係合させる。これで下ケース１０と上ケース１１とは、スライド軸２１とガイド溝２２とを介して回動自在に、かつ前後スライド自在に枢支連結する。なおガイド溝２２は、側壁１５の内面にリブ２２ａを環状に突設し、このリブ２２ａで囲まれる内部に前後方向に長く形成している。
【０００８】
上ケース１１は、図５（ａ）に示すように上壁１８の左右端縁部分１８ａが下ケース１０の左右側壁１５の上端面で受け止められて、下ケース１０の上面開口１７を完全に閉合する閉じ位置と、図５（ｂ）に示すように全体がガイド溝２２に沿って出入口１２から遠ざかる後方にスライド移動した上開き可能位置と、図５（ｃ）に示すように全体が後方スライド位置でスライド軸２１を中心にして上開き回動して上面開口１７を全開する開放位置とに変位できる。上ケース１１を後方にスライド操作させるために、背壁１６の左右端と側壁１５の後端との間には、上ケース１１の側壁１９と後述するロック体２６とを後方外部に通過させるためのスリット２３が設けられている（図３および図４参照）。
【０００９】
また上ケース１１が上開き回動するとき、その側壁１９が下ケース１０の底壁１４と接当干渉するのを防ぐために、側壁１９にはスライド軸２１より後ろ側の隣接位置に逆Ｖ字形の切欠２４を設けてある。上ケース１１の上壁１８の後端左右には、閉じ位置において前記スリット２３に嵌合して該スリット２３を閉合するための部分背壁２５がそれぞれ垂設されている。
【００１０】
収納ケースにディスクカートリッジ１を収納した状態において、これが不用意に出入口１２から抜け出ないように位置決め用の凹部６に係合するロック体２６が、上ケース１１の左右側壁１９にそれぞれ組み付けられる。図４においてロック体２６は、前後一対の係合爪２７を突設した平板状の基部２９と、基部２９の下部から内向きに突設した円弧形状または台形状の弾性突起３０とを一体に形成したプラスチック成形品からなる。このロック体２６を側壁１９の後部に外側から圧嵌固定するために、側壁１９のスライド軸２１より後部上方に、係合爪２７が抜け止め状に嵌係合する一対の係合孔３２を設けるとともに、この係合孔３２の下方に弾性突起３０を装填するための装填溝３３を切り欠き形成する。
【００１１】
図８に示すようにロック体２６を側壁１９に圧嵌固定した装着状態において、ロック体２６の基部２９が側壁１９の外側面に当て付けられており、弾性突起３０が装填溝３３を介して側壁１９の内側方に突出し、ディスクカートリッジ１の凹部６に弾性突起３０が弾性変形して係脱自在に弾性係合する。
【００１２】
上ケース１１は閉じ位置においてケース後方へのスライド遊動を阻止し、かつ上開き回動不能に保持するために、図６および図７に示すごとく下ケース１０と上ケース１１との間の各融通隙間Ｇには、上ケースロック機構３５を設ける。この上ケースロック機構３５は、上ケース１１の上壁１８の下面左右の前側寄りに突設した前後一対のロック片３６と、下ケース１０の左右側壁１５の内面上端寄りに突設した前後一対のロック爪３７とからなる。前端のロック爪３７は断面が逆台形状の突起からなり、後ろ側のロック爪３７は前後方向に長いリブ状に形成する。前端のロック爪３７を利用して、上ケース１１の後方スライドを制限するために、前方のロック片３６にはこれの水平壁部にロック爪３７と弾性係合する突部３８が形成されている。
【００１３】
閉じ位置において、前記突部３８は前方のロック爪３７の前面側に下方から接当係合しており、スライド軸２１はガイド溝２２の前端に位置し、上ケース１１の部分背壁２５が下ケース１０のスリット２３を閉じている。この閉じ状態から、図５（ｂ）に示すごとく上ケース１１をケース後方へスライド操作すると、ロック片３６が弾性変形しながら、突部３８がロック爪３７の下面をくぐり抜け、ロック爪３７より後方に位置して、上開き可能位置に切り換わる。このときスライド軸２１はガイド溝２２の後端に位置している。
【００１４】
上開き可能位置においては、上ケース１１をスライド軸２１を中心にして自由に上開き操作でき、上壁１８が水平姿勢から９０度あるいは９０度を越える位置にまで回動できる。このように上ケース１１を上開き回動させた図５（ｃ）の状態では、上面開口１７の全体が開放して出入口１２が大きく拡開するので、下ケース１０にディスクカートリッジ１やインデックスカード１３を容易に出し入れできる。上ケース１１は、前述した開き手順を逆に行うことによって閉じ位置に戻すことができる。
【００１５】
かかる収納ケースによれば、上ケース１１はこれを後方にスライド操作したのち、スライド軸２１まわりに上開き回動できる。これでディスクカートリッジ１の出入口１２の間口が拡大し、ディスクカートリッジ１の出し入れが容易になる。またインデックスカード１３も一緒に出し入れし易くなる。
【００１６】
【発明が解決しようとする課題】
ディスクカートリッジ１の出し入れにあたり、下ケース１０に対し上ケース１１を後方へスライドさせる形態の上記収納ケースでは、図９に示すごとく収納ケース全体を手でつかみ、通常、親指で上ケース１１の上壁１８を押さえながら上ケース１１を後方へスライド操作することが使い勝手を良好にする。しかし、その際、親指が滑らないように上壁１８を下方向へ強く押圧するため、この押圧荷重により上壁１８が曲げ作用を受けて左右側壁１９・１９間でケース内方にたわみ、そのまま後方へスライドさせると、上壁１８の内面が下ケース１０の背壁１６の上端にこすれてスライド操作が重くなり、また上壁１８の内面にこすれ傷Ｗが付けられる。このこすれ傷Ｗが上ケース１１の外部から見えるため、外観的体裁を損なう。また、かかる上壁１８のたわみにより上壁１８の前端部内面がディスクカートリッジ１の上面にこすれて、ディスクカートリッジ１の上面やシャッター５の上面にもこすれ傷Ｗが付けられるという問題が生じていた。
【００１７】
本発明の目的は、上記のような、下ケース１０に対し上ケース１１を後方へスライドさせるというブックケース形の収納ケースにおいて、上ケース１１に構造的改変を加えることより、ディスクカートリッジの出し入れの容易化を確保しながら、スライド操作性の向上とこすれ傷発生の防止を図れる収納ケースを提供することにある。
【００１８】
【課題を解決するための手段】
本発明の収納ケースは、図３および図４に示すごとく下ケース１０と上ケース１１とからなって、前面に出入口１２が開口している。下ケース１０は、四角形状の底壁１４と、底壁１４の左右端から立設した側壁１５と、底壁１４の後端から立設した背壁１６とを有して、前面および上面が開口する薄形角箱形状に形成されている。上ケース１１は、下ケース１０の上面開口１７を開閉する上壁１８と、上壁１８の左右端寄りから下ケース１１の側壁１５の内側に向けて垂設された側壁１９とを有する。
【００１９】
下ケース１０の側壁１５の内側と、上ケース１１の側壁１９の外側のいずれか一方に、前後方向に長いガイド溝２２を、他方にガイド溝２２に前後スライド自在に係合するスライド軸２１をそれぞれ設けてあり、下ケース１０と上ケース１１とが、スライド軸２１とガイド溝２２とを介して枢支連結されている。下ケース１０の背壁１６の左右端と側壁１５の後端との間には、該上ケース１１の側壁１９を後方外部へ通過させるためのスリット２３が形成されており、上ケース１１を後方にスライドさせることにより、上ケース１１が下ケース１０に対してスライド軸２１まわりに上開き回動可能に構成されている。
【００２０】
本発明では、かかる収納ケースを前提としたうえで、図１および図２に示すごとく上ケース１１の上壁１８の後端から補強壁４０を下ケース１０の背壁１６の上端に向けて垂設し、この補強壁４０は上壁１８の後端に左右方向に連続して形成する。また、上ケース１１の上壁１８の前端部内面には、断面丸形の小突起４１を左右方向に連続状もしくは断続的に設ける。
【００２１】
【作用】
下ケース１０に対し上ケース１１を後方スライドさせるにあたり、親指で上ケース１１の上壁１８に押圧荷重をかけると、上壁１８が曲げ作用を受けるが、補強壁４０でその押圧荷重に対抗するため、上壁１８がケース内方にたわむのを低下半減できる。また上ケース１１の後方スライド時に、上壁１８の前端部内面は断面丸形の小突起４１を介してディスクカートリッジ１の上面に対し摩擦抵抗少なく滑り易くなる。
【００２２】
【発明の実施の形態】
本発明に係る収納ケースの全体的構成は、前述した図３ないし図８に示すものとほぼ同様であるので、同一部材には同一符号を付することでその説明を省略し、以下、それとは異なる点を主眼にして説明する。
【００２３】
図１および図２に示すように、透明ないし半透明なプラスチックからなる上ケース１１は、前述したように上壁１８、左右の側壁１９、部分背壁２５を一体に成形するのみならず、上壁１８の曲げ強度を高めるために上壁１８の後端内面に補強壁４０を部分背壁２５・２５間の左右方向全長にわたって一体に連続形成し、また上壁１８の前端部内面には断面丸形の小突起４１を上壁１８の前端縁１８ｂに沿って左右方向に一体に連続形成する。
かくして、上ケース１１と下ケース１０とを前述したように組み合わせると、図２に示すごとく補強壁４０の下端が下ケース１０の背壁１６の上端に突き合わされる状態になる。因に、図４に示す下ケース１０の背壁１６は側壁１５と同じ高さに形成してあるが、この実施例では下ケース１０の背壁１６は側壁１５よりも、補強壁４０の、上壁１８下面からの下向き突出量分だけ、低く形成している。
【００２４】
しかるときは、ディスクカートリッジ１を出し入れするにあたり、図９に示すごとく収納ケース全体を手でつかみ、親指で上ケース１１の上壁１８を押さえながら上ケース１１を後方へスライドさせるとき、上壁１８が、親指による押圧荷重で曲げ作用を受けても、補強壁４０の存在によってケース内方にたわむのを減少できる。従って、上壁１８の内面が下ケース１０の背壁１６の上端にこすれたり、こすれ傷を付けられるようなことが無くなる。
また、上壁１８の前端部はディスクカートリッジ１の上面に対し断面丸形の小突起４１の僅かな接触でもって滑り易くしてあるため、ディスクカートリッジ１の上面にもこすれ傷を付けるのを減少できる。
【００２５】
小突起４１は上壁１８の前端縁１８ｂに沿って左右方向全長にわたって連続状に形成することが、補強壁４０と相まって上壁１８のたわみ剛性を増大させるうえで好ましいが、ディスクカートリッジ１の上面に対する滑りを良くするだけのために設ける場合は、上壁１８の前端部の内面に左右方向に点在的あるいは断続的に設けてもよい。
なお、図３ないし図８に示すものに代えて、スライド軸２１は本体ケース１０の側壁１５に形成し、ガイド溝２２を上ケース１１の側壁１９に形成することができる。ガイド溝２２は側壁１５を貫通する長孔形状に形成してもよい。
【００２６】
【発明の効果】
本発明によれば、上ケース１１の上壁１８は補強壁４０によりたわみ剛性を高めているので、上ケース１１の後方スライド時に下ケース１０の背壁１６の上端にこすれたり、こすれ傷が付けられるのをよく防止できる。また、上ケース１１の上壁１８の前端部内面は断面丸形の小突起４１を介してディスクカートリッジ１の上面に対し滑り易くしてあるので、ディスクカートリッジ１の上面にもこすれ傷を付けるのを低減できる。
【図面の簡単な説明】
【図１】本発明の一実施例である収納ケースを上ケースの開放状態で示す斜視図である。
【図２】図１に示す収納ケースの中央縦断側面図である。
【図３】比較例の収納ケースの内部構造を示す横断平面図である。
【図４】図３の上ケースの開放状態を示す斜視図である。
【図５】（ａ）・（ｂ）・（ｃ）は図３の上ケースを閉じ位置、上開き可能位置、開放位置の各動作位置で示す中央縦断側面図である。
【図６】図３におけるＡ−Ａ線断面図である。
【図７】図３におけるＢ−Ｂ線断面図である。
【図８】図３におけるＣ−Ｃ線断面図である。
【図９】図３の収納ケースの開放過程を示す斜視図である。
【符号の説明】
１  ディスクカートリッジ
１０  下ケース
１１  上ケース
１２  出入口
１４  下ケースの底壁
１５  下ケースの側壁
１６  下ケースの背壁
１８  上ケースの上壁
１９  上ケースの側壁
２１  スライド軸
２２  ガイド溝
２３  スリット
２５  上ケースの部分背壁
４０  補強壁
４１  小突起
【図１】
0003755784.tif 000002
【図２】
0003755784.tif 000003
【図３】
0003755784.tif 000004
【図４】
0003755784.tif 000005
【図５】
0003755784.tif 000006
【図６】
0003755784.tif 000007
【図７】
0003755784.tif 000008
【図８】
0003755784.tif 000009
【図９】
0003755784.tif 000010